(57)【要約】【課題】コピー保護対象の放送コンテンツに含まれる少なくとも映像情報および音声情報の各々を単独でコピー可能にする。【解決手段】コピー制御装置は放送コンテンツに対して信号変換を行う信号変換部１２と、信号変換部１１から信号変換結果として得られる放送コンテンツを保持するＨＤＤユニット１４と、ＨＤＤユニット１４に保持された放送コンテンツを記録媒体にコピーする記録制御を行う制御部１３とを備える。制御部１３は放送コンテンツがコピー保護対象であることを検出し、このコピー保護対象の放送コンテンツに含まれる少なくとも映像情報および音声情報を選択的にコピーし、最大許容コピー回数を越えるコピーを禁止するためにこれら映像情報および音声情報のコピー回数を別々に管理するように構成される。【選択図】図１
2009130817.tif 000002
【特許請求の範囲】
【請求項１】
放送コンテンツに対して信号変換を行う信号変換部と、
前記信号変換部から信号変換結果として得られる放送コンテンツを保持するメモリ部と、
前記メモリ部に保持された放送コンテンツを記録媒体にコピーする記録制御を行う制御部とを備え、
前記制御部は放送コンテンツがコピー保護対象であることを検出し、このコピー保護対象の放送コンテンツに含まれる少なくとも映像情報および音声情報を選択的にコピーし、これら映像情報および音声情報のコピー回数を別々に管理するように構成されることを特徴とするコピー制御装置。
【請求項２】
前記制御部は前記コピー保護対象の放送コンテンツに含まれる映像情報および音声情報に加えて字幕情報を選択的にコピーし、字幕情報についてもコピー回数を管理するように構成されることを特徴とする請求項１に記載のコピー制御装置。
【請求項３】
前記制御部は前記コピー保護対象の放送コンテンツに含まれる映像情報、音声情報、および字幕情報のコピー回数を別々に管理する映像用許容コピー回数カウンタ、音声用許容コピー回数カウンタ、および字幕用許容コピー回数カウンタを設け、映像情報のコピー、音声情報のコピー、および字幕情報のコピーを実行する毎に前記映像用許容コピー回数カウンタ、前記音声用許容コピー回数カウンタ、および前記字幕用許容コピー回数カウンタをそれぞれ更新するように構成されることを特徴とする請求項２に記載のコピー制御装置。
【請求項４】
前記制御部はコピーを実行する場合に前記コピー保護対象の放送コンテンツから映像情報、音声情報、字幕情報を選択的に分離して記録媒体に出力するように構成されることを特徴とする請求項２に記載のコピー制御装置。
【請求項５】
前記制御部はさらにネットワークを介して接続されるリモートデバイスからのコピー要求に従い、前記コピー保護対象の放送コンテンツから映像情報、音声情報、または字幕情報を単独で分離してこのリモートデバイスに出力するように構成されることを特徴とする請求項２に記載のコピー制御装置。
【請求項６】
放送コンテンツに対して信号変換を行い、信号変換結果として得られる放送コンテンツを保持し、保持された放送コンテンツを記録媒体にコピーする記録制御を行うもので、放送コンテンツがコピー保護対象であることを検出し、このコピー保護対象の放送コンテンツに含まれる少なくとも映像情報および音声情報を選択的にコピーし、これら映像情報および音声情報のコピー回数を別々に管理することを特徴とするコピー制御方法。
【請求項７】
コピー保護対象の放送コンテンツに含まれる映像情報および音声情報に加えて字幕情報を選択的にコピーし、字幕情報についてもコピー回数を管理することを特徴とする請求項６に記載のコピー制御方法。
【請求項８】
前記コピー保護対象の放送コンテンツに含まれる映像情報、音声情報、および字幕情報のコピー回数を別々に管理する映像用許容コピー回数カウンタ、音声用許容コピー回数カウンタ、および字幕用許容コピー回数カウンタを設け、映像情報のコピー、音声情報のコピー、および字幕情報のコピーを実行する毎に前記映像用許容コピー回数カウンタ、前記音声用許容コピー回数カウンタ、および前記字幕用許容コピー回数カウンタをそれぞれ更新することを特徴とする請求項７に記載のコピー制御方法。
【請求項９】
コピーを実行する場合に前記コピー保護対象の放送コンテンツから映像情報、音声情報、字幕情報を選択的に分離して記録媒体に出力することを特徴とする請求項７に記載のコピー制御装置。  
【請求項１０】
さらにネットワークを介して接続されるリモートデバイスからのコピー要求に従い、前記コピー保護対象の放送コンテンツから映像情報、音声情報、または字幕情報を単独で分離してこのリモートデバイスに出力することを特徴とする請求項７に記載のコピー制御方法。
【発明の詳細な説明】
【技術分野】
【０００１】
本発明は、放送コンテンツのコピー回数を制限するコピー制御装置およびコピー制御方法に関する。
【背景技術】
【０００２】
現在、日本の地上デジタル放送は「１世代のみコピー可（Copy One Generation: COG）」という制御情報をコンテンツに付加した放送波を送信している。これに伴い、放送波を受信する記録装置側では、録画に際して「コピー不可(No More Copy: NMC)」という状態のコンテンツを記録媒体に記録している。このため、記録装置のユーザは私的利用であっても、記録媒体上のコンテンツを複製することができない。
【０００３】
近年では、このような複製の制約を緩和しようという方向性で検討が行われている。この検討において、例えば、1世代目の記録コンテンツに対して９回程度コピーを認めることが提案されている。例えばハードディスク内蔵のＤＶＤレコーダを例とすると、ハードディスクに保存された放送コンテンツがオリジナルコンテンツであるとみなされ、このオリジナルコンテンツをＤＶＤに記録する動作が１回目のコピーとなる。このコピー後、オリジナルコンテンツは「あと８回」だけハードディスクからＤＶＤにコピーすることが可能である。この許容コピー回数は１回コピーを行う毎に「１」ずつ減少し、「あと０回」になったときに、ハードディスクからのコピーが禁止される。
【０００４】
従来、コピー回数の履歴情報を管理する管理メモリを用いてコピー制御を行う技術が知られている（例えば、特許文献１を参照）。
【特許文献１】特開２０００−１８２３２１号公報
【発明の開示】
【発明が解決しようとする課題】
【０００５】
ところで、放送コンテンツは映像や音声の情報を含んで構成されるが、ユーザがいつも映像および音声の両方をコピーしたいと考えているとは限らない。すなわち、スポーツ中継や囲碁対局などのコンテンツについては、音声が不要であることがある。他方、歌番組などのコンテンツについては、映像が不要であることがある。しかしながら、従来のコピー制御はコンテンツ単位に行われていたため、例えば映像および音声を別々にコピーすることができなかった。たとえコピーできたとしても、映像および音声のどちらか一方をコピーする毎に残りの許容コピー回数が減少してしまうことになる。
【０００６】
本発明はこのような課題に鑑みてなされたものであり、コピー保護対象の放送コンテンツに含まれる少なくとも映像情報および音声情報の各々を単独でコピー可能なコピー制御装置およびコピー制御方法を提供することを目的とする。
【課題を解決するための手段】
【０００７】
本発明の第１観点によれば、放送コンテンツに対して信号変換を行う信号変換部と、  信号変換部から信号変換結果として得られる放送コンテンツを保持するメモリ部と、メモリ部に保持された放送コンテンツを記録媒体にコピーする記録制御を行う制御部とを備え、制御部は放送コンテンツがコピー保護対象であることを検出し、このコピー保護対象の放送コンテンツに含まれる少なくとも映像情報および音声情報を選択的にコピーし、これら映像情報および音声情報のコピー回数を別々に管理するように構成されるコピー制御装置が提供される。
【０００８】
本発明の第２観点によれば、放送コンテンツに対して信号変換を行い、信号変換結果として得られる放送コンテンツを保持し、保持された放送コンテンツを記録媒体にコピーする記録制御を行うもので、放送コンテンツがコピー保護対象であることを検出し、このコピー保護対象の放送コンテンツに含まれる少なくとも映像情報および音声情報を選択的にコピーし、これら映像情報および音声情報のコピー回数を別々に管理するコピー制御方法が提供される。
【発明の効果】
【０００９】
これらコピー制御装置およびコピー制御方法では、コピー保護対象の放送コンテンツに含まれる少なくとも映像情報および音声情報のコピー回数が別々に管理される。従って、  最大許容コピー回数を越えないコピー回数範囲で映像情報および音声情報の各々を単独でコピーすることが可能になる。例えば映像情報のコピー回数が最大許容コピー回数に達しても、音声情報のコピー回数が最大許容コピー回数に達していなければ、この音声情報のコピーが禁止されることはない。
【発明を実施するための最良の形態】
【００１０】
以下、本発明の一実施形態に係るＤＶＤレコーダについて添付図面を参照して説明する。
【００１１】
図１はこのＤＶＤレコーダの回路構成を概略的に示す。ＤＶＤレコーダ１０はアンテナＡＮＴで受信される放送波から得られる放送コンテンツをＤＶＤに記録し、ディスプレイＤＳＰに出力させるために用いられる。このＤＶＤレコーダ１０はデジタルチューナ１１、信号変換部１２、制御部１３、ハードディスク（ＨＤＤ）ユニット１４、媒体記録再生部１５を備える。制御部１３は、図２に示すようにＣＰＵ２１、ＲＯＭ２２、ＲＡＭ２３、グラフィカルユーザインタフェース（ＧＵＩ）２４、バッファメモリ２５、およびネットワークインタフェース２６を含み、これらコンポーネント、デジタルチューナ１１、信号変換部１２、ＨＤＤユニット１４、および媒体記録再生部１５は制御バスにより相互接続される。バッファメモリ２５はさらに信号変換部１２、ＨＤＤユニット１４、および媒体記録再生部１５にデータバスにより接続される。ＣＰＵ２１はＤＶＤレコーダ１０全体の動作を制御するコントローラとして設けられる。ＲＯＭ２２はＣＰＵ２１の制御プログラムや最大許容コピー回数等の初期設定データを保持する。ＲＡＭ２３はＣＰＵ２１の入出力データを一時的に格納する。ＧＵＩ２４はユーザからの録画コマンド、コピーコマンド、その他の設定入力を行う。バッファメモリ２５は信号変換部１２、ＨＤＤユニット１４、および媒体記録再生部１５に対して入出力される放送コンテンツを一時的に格納する。ネットワークインタフェース２６は例えばコンピュータ等のリモートデバイスにネットワークを介して接続される。
【００１２】
デジタルチューナ１１はアンテナで受信された地上デジタル放送波から放送コンテンツを復調して信号変換部１２に出力する。信号変換部１２は放送コンテンツをＭＰＥＧデコードにより伸張する信号変換を行う。ディスプレイＤＳＰは信号変換部１２からデコード結果として得られる放送コンテンツに含まれる映像情報および音声情報についてそれぞれ画面出力およびスピーカ出力を行う。また、信号変換部１２は放送コンテンツをＤＶＤ記録規格のＭＰＥＧエンコードにより再圧縮する信号変換を行う。制御部１３は信号変換部１２からエンコード結果として得られる放送コンテンツを録画コマンドに従ってＨＤＤユニット１４のハードディスクに保存する録画制御、およびコピーコマンドに従ってハードディスク内の放送コンテンツを媒体記録再生部１５によりＤＶＤにコピーする記録制御を行う。また、制御部１３はハードディスクまたはＤＶＤから放送コンテンツを再生する再生制御を行い、この放送コンテンツを再生用に信号変換部１２に供給する。この場合、信号変換部１２は再生用の放送コンテンツをＭＰＥＧデコードにより伸張する信号変換を行う。この場合も、ディスプレイＤＳＰは信号変換部１２からデコード結果として得られる放送コンテンツに含まれる映像情報および音声情報についてそれぞれ画面出力およびスピーカ出力を行う。上述のリモートデバイスはＧＵＩ２４および媒体記録再生部１５と同様に機能するものであり、制御部１３はリモートデバイスからの録画コマンドやコピーコマンドをＧＵＩ２４と同様に取り扱うと共に、放送コンテンツのコピー先を媒体記録再生部１５からこのリモートデバイスに変更可能である。
【００１３】
ちなみに、放送コンテンツに対するコピー制御情報がデジタルチューナ１１で受信された場合には、この放送コンテンツが「コピー不可（ＮＭＣ）」の状態になるように暗号化処理を行ってコピー保護対象コンテンツとしてＨＤＤユニット１４に保存され、これがコピーコマンドに従ってコピー保護対象コンテンツに対する最大許容コピー回数を越えないコピー回数範囲でＤＶＤへコピーされる。この場合、制御部１３が暗号を解除しながら放送コンテンツを読込み、さらにこの放送コンテンツをＤＶＤ用に暗号化しながらＤＶＤにコピーする記録制御を媒体記録再生部１５に対して行う。また、コピー制御情報が「１世代のみコピー可（COG）」であれば、ＨＤＤユニット１４内の放送コンテンツがコンテンツ移動扱いになるようにＤＶＤへのコピー後に削除される。  
図３はＲＡＭ１３に保持されるコピー制御テーブルを示す。このコピー制御テーブルには、例えば放送コンテンツＡ，Ｂ，Ｃが登録され、これらコンテンツＡ，Ｂ，Ｃの各々に対する映像用許容コピー回数カウンタおよび音声用許容コピー回数カウンタが設けられる。映像用および音声用許容コピー回数カウンタには、例えば９回という最大許容コピー回数が初期設定データとして設定される。映像用および音声用許容コピー回数カウンタのカウンタ値はそれぞれコピー実行毎に更新される。図３に示すコンテンツＡを例として参照すると、映像情報および音声情報が既に４回ずつコピーされ、これらが残り５回ずつコピーできることがカウンタ値から判る。
【００１４】
図４は制御部１３の制御動作を概略的に示す。この制御動作は、ＣＰＵ２１が電源投入に伴ってＲＯＭ２２に格納された制御プログラムを実行することにより行われる。制御動作が開始されると、ステップＳ１でデジタルチューナ１１から信号変換部１２に出力される放送コンテンツの録画がＧＵＩ２４からの録画コマンドにより要求されたかチェックされる。放送コンテンツの録画要求が確認されると、ステップＳ２で信号変換部１２から得られる変換結果の放送コンテンツがハードディスクユニット１４のハードディスクに格納される。さらにこのハードディスクに格納した放送コンテンツがコピー保護を必要とするコピー保護対象のコンテンツであることをステップＳ３で確認すると、ステップＳ４でこの放送コンテンツが図３に示すようなコピー制御テーブルに登録され、最大許容コピー回数がこの放送コンテンツに対する映像用および音声用許容コピー回数カウンタに設定される。コンテンツが保護を必要としないことがステップＳ３で確認された場合、およびステップＳ４の処理が完了した場合、再びステップＳ１が実行される。
【００１５】
ステップＳ１で放送コンテンツの録画要求がなければ、ステップＳ５でＧＵＩ２４からのコピーコマンドによりコンテンツコピーが要求されたかチェックされる。このコンテンツコピーの要求が確認されると、ステップＳ６でＨＤＤユニット１４のハードディスクに保存されたコピーすべきコンテンツがコピー制御テーブルに登録されているかチェックされる。制御部１３は未登録のコンテンツについてステップＳ６でフリーコピー処理を行い、登録済のコンテンツについてステップＳ７で保護コピー処理を行う。また、ステップＳ５でコンテンツコピーの要求が確認されなければ、ステップＳ８で他の処理が行われる。ステップＳ６，Ｓ７，Ｓ８のいずれかが実行されると、これに続いてステップＳ１が再び実行される。
【００１６】
図５は図４に示すフリーコピー処理を詳細に示す。このフリーコピー処理が開始されると、ステップＳ５で映像情報だけのコピーであるかチェックされる。映像情報だけのコピーが確認されると、制御部１３がステップＳ１１でコピーすべきコンテンツから映像情報を分離し、ステップＳ１２で媒体記録再生部１５によりこの映像情報のコピーを実行する。フリーコピー処理はステップＳ１２の実行後に終了する。
【００１７】
ステップＳ１０で映像情報だけのコピーが確認されない場合、ステップＳ１３で音声情報だけのコピーであるかチェックされる。音声情報だけのコピーが確認されると、制御部１３がステップＳ１４でコピーすべきコンテンツから音声情報を分離し、ステップＳ１５で媒体記録再生部１５によりこの音声情報のコピーを実行する。フリーコピー処理はステップＳ１５の実行後に終了する。
【００１８】
ステップＳ１３で音声情報だけのコピーが確認されない場合、ステップＳ１６で映像および音声情報のコピーであるかチェックされる。映像および音声情報のコピーが確認されると、制御部１３がステップＳ１７でコピーすべきコンテンツから映像および音声情報を分離し、ステップＳ１８で媒体記録再生部１５によりこれら映像および音声情報のコピーを実行する。フリーコピー処理はステップＳ１８の実行後に終了する。
【００１９】
さらに、ステップＳ１６で映像および音声情報のコピーが確認されない場合、ステップＳ１９で他の処理が行われ、これに続いてフリーコピー処理が終了する。
【００２０】
図６は図４に示す保護コピー処理を詳細に示す。この保護コピー処理が開始されると、ステップＳ２０で映像情報だけのコピーであるかチェックされる。映像情報だけのコピーが確認されると、ステップＳ２１で映像用許容コピー回数カウンタのカウント値である映像用許容コピー回数＝０であるかチェックされる。この映像用許容コピー回数＝０であることが確認されると、制御部１３がステップＳ２２でこの映像情報のコピーを禁止してＧＵＩ２４によりエラーを通知し、これに続いて保護コピー処理を終了する。また、この映像用許容コピー回数＝０でないことが確認されると、制御部１３がステップＳ２３でコピーすべきコンテンツから映像情報を分離し、ステップＳ２４で媒体記録再生部１５によりこの映像情報のコピーを実行し、ステップＳ２５で映像用許容コピー回数を”１”だけ減じる。保護コピー処理はステップＳ２５の実行後に終了する。
【００２１】
ステップＳ２０で映像情報だけのコピーが確認されない場合、ステップＳ２６で音声情報だけのコピーであるかチェックされる。音声情報だけのコピーが確認されると、ステップＳ２７で音声用許容コピー回数カウンタのカウント値である音声用許容コピー回数＝０であるかチェックされる。この音声用許容コピー回数＝０であることが確認されると、制御部１３がステップＳ２８でこの音声情報のコピーを禁止してＧＵＩ２４によりエラーを通知し、これに続いて保護コピー処理を終了する。また、この音声用許容コピー回数＝０でないことが確認されると、制御部１３がステップＳ２９でコピーすべきコンテンツから音声情報を分離し、ステップＳ３０で媒体記録再生部１５によりこの音声情報のコピーを実行し、ステップＳ３１で音声用許容コピー回数を”１”だけ減じる。保護コピー処理はステップＳ３１の実行後に終了する。
【００２２】
ステップＳ２６で音声情報だけのコピーが確認されない場合、ステップＳ３２で映像および音声情報のコピーであるかチェックされる。映像および音声情報のコピーが確認されると、ステップＳ３３で映像用許容コピー回数＝０であるかチェックされる。この映像用許容コピー回数＝０でないことが確認されると、ステップＳ３４で音声用許容コピー回数＝０であるかチェックされる。この音声用許容コピー回数＝０でないことが確認されると、制御部１３がステップＳ３５でコピーすべきコンテンツから映像および音声情報を分離し、ステップＳ３６で媒体記録再生部１５によりこれら映像および音声情報のコピーを実行し、ステップＳ３７で映像用許容コピー回数および音声用許容コピー回数をそれぞれ”１”だけ減じる。保護コピー処理はステップＳ３７の実行後に終了する。
【００２３】
ステップＳ３３で映像用許容コピー回数＝０であることが確認された場合、またはステップＳ３４で音声用許容コピー回数＝０であることが確認された場合、制御部１３がステップＳ３８で映像情報および音声情報のコピーを禁止し、映像用許容コピー回数および音声用許容コピー回数を表示して移動に関する問い合せをＧＵＩ２４に行わせ、この問い合せに対する回答としてコンテンツの移動が要求されたかチェックする。ＧＵＩ２４による映像用許容コピー回数および音声用許容コピー回数の表示は、映像情報および音声情報のいずれかについて許容コピー回数に残りがある場合においてユーザに注意を促す動作でもある。コンテンツの移動が要求されたことが確認されると、制御部１３がステップＳ３９で移動のために媒体記録再生部１５によりコンテンツのコピーを実行し、ステップＳ４０でこのコンテンツをＨＤＤユニット１４のハードディスクから削除し、ステップＳ４１でこのコンテンツの登録をコピー制御テーブルから抹消する。保護コピー処理はステップＳ４１の実行後に終了する。
【００２４】
さらに、ステップＳ３２で映像および音声情報のコピーが確認されない場合には、他の処理がＳ４２で行われ、これに続いて保護コピー処理が終了する。
【００２５】
本実施形態によれば、コピー保護対象の放送コンテンツに含まれる少なくとも映像情報および音声情報のコピー回数が映像用許容コピー回数カウンタおよび音声用許容コピー回数カウンタにより別々に管理される。従って、最大許容コピー回数を越えないコピー回数範囲で映像情報および音声情報の各々を単独でコピーすることが可能になる。いいかえれば、映像情報および音声情報を含むコンテンツ単位にコピーを行う必要がない。この結果、ユーザはスポーツ中継や囲碁対局などのコンテンツについて映像情報のコピーを要求し、歌番組などのコンテンツについて音声情報のコピーを要求することができるようになる。
【００２６】
また、図２に示すリモートデバイスを有効にすれば、特殊なコピー形態であるが、制御部１３がこのリモートデバイスからのコピー要求に従い、ＨＤＤユニット１４のハードディスクに保持されたコピー保護対象の放送コンテンツから映像情報、音声情報、または字幕情報を単独で分離し媒体記録再生部１５に代るコピー先としてリモートデバイスに出力することもできる。
【００２７】
尚、本発明は上述の実施形態に限定されず、その要旨を逸脱しない範囲で様々に変形可能である。
【００２８】
図７は図３に示すコピー制御テーブルの変形例を示す。この変形例は、さらにコンテンツに字幕情報が含まれる場合に対処するためのものである。この場合、字幕用許容コピー回数カウンタがコピー制御テーブルにおいて各コンテンツに対して設けられる。字幕用許容コピー回数カウンタには、映像用許容コピー回数カウンタおよび音声用許容コピー回数カウンタと同様に、コンテンツ登録時、すなわち図４に示すステップＳ４で例えば９回という最大許容コピー回数が初期設定データとして設定される。
【００２９】
図８は、図７に示すコピー制御テーブルの変形例に対応して追加される字幕コピー処理を示す。この字幕コピー処理は例えば図６のステップＳ４２に示される他の処理に組み込んで実行すればよい。
【００３０】
この字幕コピー処理が開始されると、ステップＳ５０で制御部１３が映像情報の取扱いに関する問い合せをＧＵＩ２４に行わせ、この問い合せに対する回答として字幕情報を映像情報と一緒にコピーすることが要求されたかチェックする。字幕情報だけのコピーが要求されると、ステップＳ５１で字幕用許容コピー回数カウンタのカウント値である字幕用許容コピー回数＝０であるかチェックされる。この字幕用許容コピー回数＝０であることが確認されると、制御部１３がステップＳ５２でこの字幕情報のコピーを禁止してＧＵＩ２４によりエラーを通知し、これに続いて字幕コピー処理を終了する。また、この字幕用許容コピー回数＝０でないことが確認されると、制御部１３がステップＳ５３でコピーすべきコンテンツから字幕情報を分離し、ステップＳ５４で媒体記録再生部１５によりこの字幕情報のコピーを実行し、ステップＳ５５で字幕用許容コピー回数を”１”だけ減じる。字幕コピー処理はステップＳ５５の実行後に終了する。
【００３１】
ステップＳ５０で映像情報および字幕情報のコピーが要求されると、ステップＳ５６で字幕用許容コピー回数カウンタのカウント値である字幕用許容コピー回数＝０であるかチェックされる。この字幕用許容コピー回数＝０であることが確認されると、制御部１３がステップＳ５７でこの映像および字幕情報のコピーを禁止してＧＵＩ２４によりエラーを通知し、これに続いて字幕コピー処理を終了する。また、字幕用許容コピー回数＝０でないことが確認されると、制御部１３がステップＳ５８で映像用許容コピー回数＝０であるかチェックされる。この映像用許容コピー回数＝０であることが確認されると、制御部１３がステップＳ５７でこの映像および字幕情報のコピーを禁止してＧＵＩ２４によりエラーを通知し、これに続いて字幕コピー処理を終了する。また、映像用許容コピー回数＝０でないことが確認されると、制御部１３がステップＳ５９でコピーすべきコンテンツから映像および字幕情報を分離し、ステップＳ６０で媒体記録再生部１５によりこの映像および字幕情報のコピーを実行し、ステップＳ６１で映像用許容コピー回数および字幕用許容コピー回数をそれぞれ”１”だけ減じる。字幕コピー処理はステップＳ６１の実行後に終了する。
【００３２】
尚、図５のステップＳ１９に示す他の処理には、図８においてステップＳ５１，５２，Ｓ５５−Ｓ５８，６１を省略した字幕コピー処理を組み込めばよい。
【００３３】
この変形例では、字幕情報のコピーが最大許容コピー回数を越えないコピー回数範囲で行われるため、聴覚障害者のいる家庭での使用において極めて有用なコピー制御を提供できることになる。
【００３４】
ちなみに、上述の実施形態では、映像情報、音声情報、および字幕情報がコピー保護対象のコンテンツから分離されて記録媒体にコピーされたが、これら以外の情報について許容コピー回数カウンタを設け、これに字幕コピー処理と同様に対処する追加処理を図６のステップＳ４２に示す他の処理に組み込むようにしてもよい。また、音声情報および字幕情報のような組合せでコピーを行えるようにしてもよい。
【００３５】
さらに、上述の実施形態では、デジタルチューナ１１、信号変換部１２、制御部１３、ＨＤＤユニット１４、および媒体記録再生部１５を含むＤＶＤレコーダ１０がコピー制御装置として取り扱われているが、例えば媒体記録再生部１５についてはコピー制御装置の外部に設けられてもよい。この場合、制御部１３は基本的にコピーを実行する場合にコピー保護対象の放送コンテンツから映像情報、音声情報、字幕情報を選択的に分離して媒体記録再生部１５をコピー先として出力するだけでよい。また、ＤＶＤが放送コンテンツの記録媒体として用いられたが、ハードディスクや不揮発性半導体メモリ等がこの記録媒体として用いられてもよい。さらに、このコピー制御装置は一般的なコンピュータに設けられるハードウェアおよびソフトウェアを用いて構成されてもよい。
【図面の簡単な説明】
【００３６】
【図１】本発明の一実施形態に係るＤＶＤレコーダの回路構成を概略的に示す図である。
【図２】図１に示す制御部の構成例を示す図である。
【図３】図２に示すＲＡＭに保持されるコピー制御テーブルを示す図である。
【図４】図１に示す制御部の制御動作を概略的に示す図である。
【図５】図４に示すフリーコピー処理を詳細に示す図である。
【図６】図４に示す保護コピー処理を詳細に示す図である。
【図７】図３に示すコピー制御テーブルの変形例を示す図である。
【図８】図７に示すコピー制御テーブルの変形例に対応して追加される字幕コピー処理を示す図である。
【符号の説明】
【００３７】
１０…ＤＶＤレコーダ、１１…デジタルチューナ、１２…信号変換部、１３…制御部、１４…ハードディスク（ＨＤＤ）ユニット、１５…媒体記録再生部。
【図１】
2009130817.tif 000003
【図２】
2009130817.tif 000004
【図３】
2009130817.tif 000005
【図４】
2009130817.tif 000006
【図５】
2009130817.tif 000007
【図６】
2009130817.tif 000008
【図７】
2009130817.tif 000009
【図８】
2009130817.tif 000010